(57)【特許請求の範囲】
【請求項１】
遊技場内に設置されて、投入された遊技媒体の個数を計数する計数機と、遊技場内に設置されて、前記計数機の計数結果を記録媒体に記録して発券する発券機と、遊技場外に設置された中継装置とを備えた発券システムであって、
前記計数機は、遊技媒体の計数情報と当該計数機の属性情報とを含む第１計数信号を当該計数機に対応する前記発券機へ出力すると共に、遊技媒体の計数情報と前記属性情報とを含む第２計数信号を前記中継装置へ出力し、
前記中継装置は、前記計数機から入力された前記第２計数信号を、これに含まれる前記属性情報の示す計数機に対応付けされている発券機へ出力し、
前記発券機は、前記中継装置から入力された前記第２計数信号に含まれる前記計数情報に基づく計数値と前記第１計数信号に含まれる前記計数情報に基づく計数値とが一致する第１条件と、前記第２計数信号に含まれる前記属性情報と前記計数機から入力された前記第１計数信号に含まれる前記属性情報とが一致する第２条件とが共に成立する場合に、前記計数結果を記録媒体に記録して発券し、
前記中継装置が設置された前記遊技場外は遊技客の立ち入りが禁止された領域であり、前記計数機と前記中継装置との間および前記中継装置と前記発券機との間で前記第２計数信号を伝送する配線は、遊技場内の遊技客が遊技場外の前記中継装置まで辿ることができないようにされている
ことを特徴とする発券システム。
【請求項２】
遊技場内に設置されて、投入された遊技媒体の個数を計数する計数機と、遊技場内に設置されて、前記計数機の計数結果を記録媒体に記録して発券する発券機と、遊技場外に設置された中継装置とを備えた発券システムであって、
前記計数機は、遊技媒体の計数情報を含む第１計数信号を当該計数機に対応する前記発券機に出力すると共に、遊技媒体の計数情報を含む第２計数信号を前記中継装置へ出力し、
前記中継装置は、前記計数機から入力された前記第２計数信号を、前記発券機へ出力し、
前記発券機は、前記中継装置から入力された前記第２計数信号に含まれる前記計数情報に基づく計数値と前記計数機から入力された前記第１計数信号に含まれる前記計数情報に基づく計数値とが一致する第１条件が成立する場合に、前記計数結果を記録媒体に記録して発券し、
前記中継装置が設置された前記遊技場外は遊技客の立ち入りが禁止された領域であり、前記計数機と前記中継装置との間および前記中継装置と前記発券機との間で前記第２計数信号を伝送する配線は、遊技場内の遊技客が遊技場外の前記中継装置まで辿ることができないようにされている
ことを特徴とする発券システム。
【請求項３】
前記第１条件と前記第２条件の少なくとも一方が不成立の場合に、エラーを報知する
ことを特徴とする請求項１または２に記載の発券システム。
【請求項４】
前記計数機は、１個の遊技媒体の計数を示す計数情報を含む第１計数信号を遊技媒体の計数毎に出力し、所定の複数個の遊技媒体の計数を示す計数情報を含む第２計数信号を前記所定の複数個の遊技媒体を計数する毎に出力する
ことを特徴とする請求項１乃至３のいずれか１つに記載の発券システム。
【請求項５】
前記属性情報は、計数機の識別情報を含む
ことを特徴とする請求項１乃至４のいずれか１つに記載の発券システム。
【請求項６】
前記属性情報は、前記第１計数信号または前記第２計数信号の出力時刻情報を含み、
前記計数機は、前記第１計数信号および前記第２計数信号をそれぞれ所定数の遊技媒体の計数毎に出力し、
前記発券機は、前記第２条件において、前記第１計数信号の出力時刻情報と前記第２計数信号の出力時刻情報との一致を検査する
ことを特徴とする請求項１に記載の発券システム。
【発明の詳細な説明】
【技術分野】
【０００１】
本発明は、計数機に投入された遊技媒体の個数を計数し、その計数結果の記録された記録媒体を発券機から発券する発券システムに関する。
【背景技術】
【０００２】
パチンコ機やスロットマシンなどの遊技機が配設された遊技場において、遊技客が遊技により獲得したパチンコ球やメダルなどの遊技媒体を景品と交換する場合、その作業は通常、次のような手順で行なわれる。遊技客は、獲得した遊技媒体を計数機に投入し、計数機の計数結果が記録されたレシートを発券機から受け取り、このレシートを景品交換カウンタへ持って行く。このレシートに記録された遊技媒体数は景品交換カウンタに設置されたＰＯＳ（Point Of Sales system）端末で読み取られ、その読み取り値に応じて景品への交換が行なわれる。
【０００３】
このような景品交換では、不正行為を防止することが重要であり、種々の措置が講じられる。たとえば、計数機から発券機へ送る計数信号に対する不正行為を防止するために、計数機から発券機に向けて、計数された遊技媒体の１個ごとに出力される計数パルス信号と、計数された遊技媒体の所定個数（たとえば、１０個）ごとに出力される対率パルス信号とを出力し、これらの信号を発券機で照合するようにした発券システムがある（たとえば、特許文献１参照。）。
【０００４】
また、計数機からホールコンピュータと発券機に各々パルス信号を出力し、ホールコンピュータは入力されたパルス信号に基づいて計数データを作成して景品管理コンピュータに出力し、発券機は入力されたパルス信号に基づいて発券データを作成して景品管理コンピュータに出力する。景品管理コンピュータは入力された計数データと発券データとを照合し、その照合結果を発券機に出力する発券システムがある（たとえば、特許文献２参照。）。
【０００５】
【特許文献１】特開２００１−４６７２６号公報
【特許文献２】特開２００４−３０５４８４号公報
【発明の開示】
【発明が解決しようとする課題】
【０００６】
計数パルス信号と対率パルス信号とを発券機で照合したり、景品管理コンピュータによる照合結果を発券機に通知したりする対策を施すことで、単に計数パルス信号を計数機から発券機へ送って発券する場合に比べて、計数信号の改ざんによる不正行為は難しくなる。
【０００７】
しかしながら、計数機や発券機は、遊技客が遊技媒体を投入したりレシートを受け取ったりする装置なので、遊技客の目に触れる遊技場内に設置される。また、景品管理コンピュータについても景品交換カウンタ内など遊技客の目に触れる遊技場内に設置される場合がある。
【０００８】
このように、遊技客の目に触れる場所に各装置が設置されていると、装置間の配線を辿ることによって多数の信号線の中から、計数パルス信号や対率パルス信号、照合結果などを伝送する信号線を見つけ出されることがある。そして、目的の信号線が見つけ出されてしまうと、たとえ計数パルス信号と対率パルス信号との照合による検証や、景品管理コンピュータからの照合信号による検証を行なっていても、リレー等を介在させて不正信号を入力するといった細工が可能になるため、不正行為の徹底した防止は難しいという問題があった。
【０００９】
本発明は、上記の問題を解決しようとするものであり、計数情報などを伝送する信号線に対する不正行為を困難にして、不正な発券を防止することができる発券システムを提供することを目的とするものである。
【課題を解決するための手段】
【００１０】
かかる目的を達成するための本発明の要旨とするところは、次の各項の発明に存する。
【００１１】
［１］遊技場内に設置されて、投入された遊技媒体の個数を計数する計数機（Ｃ）と、遊技場内に設置されて、前記計数機（Ｃ）の計数結果を記録媒体に記録して発券する発券機（Ｒ）と、遊技場外に設置された中継装置（１２）とを備えた発券システムであって、
前記計数機（Ｃ）は、遊技媒体の計数情報と当該計数機（Ｃ）の属性情報とを含む第１計数信号（Ｊ）を当該計数機（Ｃ）に対応する前記発券機（Ｒ）へ出力すると共に、遊技媒体の計数情報と前記属性情報とを含む第２計数信号（Ｋ）を前記中継装置（１２）へ出力し、
前記中継装置（１２）は、前記計数機（Ｃ）から入力された前記第２計数信号（Ｋ）を、これに含まれる前記属性情報の示す計数機（Ｃ）に対応付けされている発券機（Ｒ）へ出力し、
前記発券機（Ｒ）は、前記中継装置（１２）から入力された前記第２計数信号（Ｋ）に含まれる前記計数情報に基づく計数値と前記第１計数信号（Ｊ）に含まれる前記計数情報に基づく計数値とが一致する第１条件と、前記第２計数信号（Ｋ）に含まれる前記属性情報と前記計数機（Ｃ）から入力された前記第１計数信号（Ｊ）に含まれる前記属性情報とが一致する第２条件とが共に成立する場合に、前記計数結果を記録媒体に記録して発券し、
前記中継装置が設置された前記遊技場外は遊技客の立ち入りが禁止された領域であり、前記計数機と前記中継装置との間および前記中継装置と前記発券機との間で前記第２計数信号を伝送する配線は、遊技場内の遊技客が遊技場外の前記中継装置まで辿ることができないようにされている
ことを特徴とする発券システム。
【００１２】
上記発明では、計数機（Ｃ）から出力された第１計数信号（Ｊ）をこの計数機（Ｃ）に対応する発券機（Ｒ）に直接出力するとともに、遊技客の目に触れない遊技場外に設置された中継装置（１２）から第２計数信号（Ｋ）を発券機（Ｒ）に出力し、計数機（Ｃ）に対応する発券機（Ｒ）で第１計数信号（Ｊ）と第２計数信号（Ｋ）とを照合し、照合に成功した場合に計数結果を記録した記録媒体を発券するようにしたので、照合の際に基準となる第２計数信号（Ｋ）に対する不正行為が困難になり、信頼性を高めることができる。
【００１３】
また、第１計数信号（Ｊ）と第２計数信号（Ｋ）に、それらの出力元の計数機（Ｃ）に関わる属性情報を付与し、この属性情報に基づく照合も行うので、照合の条件がより厳密なものになり、不正行為の成功をより一層困難にすることができると共に、計算機（Ｃ）と発券機（Ｒ）が各々複数の場合でも適用することができる。なお、計数機（Ｃ）と発券機（Ｒ）は１対１に対応するように設置されてもよいし、複数の計数機（Ｃ）に対して１台の発券機（Ｒ）が対応するように設置されてもよい。
【００１４】
［２］遊技場内に設置されて、投入された遊技媒体の個数を計数する計数機（Ｃ）と、遊技場内に設置されて、前記計数機（Ｃ）の計数結果を記録媒体に記録して発券する発券機（Ｒ）と、遊技場外に設置された中継装置（１２）とを備えた発券システムであって、
前記計数機（Ｃ）は、遊技媒体の計数情報を含む第１計数信号（Ｊ）を当該計数機（Ｃ）に対応する前記発券機（Ｒ）に出力すると共に、遊技媒体の計数情報を含む第２計数信号（Ｋ）を前記中継装置（１２）へ出力し、
前記中継装置（１２）は、前記計数機（Ｃ）から入力された前記第２計数信号（Ｋ）を、前記発券機（Ｒ）へ出力し、
前記発券機（Ｒ）は、前記中継装置（１２）から入力された前記第２計数信号（Ｋ）に含まれる前記計数情報に基づく計数値と前記計数機（Ｃ）から入力された前記第１計数信号（Ｊ）に含まれる前記計数情報に基づく計数値とが一致する第１条件が成立する場合に、前記計数結果を記録媒体に記録して発券し、
前記中継装置が設置された前記遊技場外は遊技客の立ち入りが禁止された領域であり、前記計数機と前記中継装置との間および前記中継装置と前記発券機との間で前記第２計数信号を伝送する配線は、遊技場内の遊技客が遊技場外の前記中継装置まで辿ることができないようにされている
ことを特徴とする発券システム。
【００１５】
上記発明では、計数機（Ｃ）から出力された第１計数信号（Ｊ）をこの計数機（Ｃ）に対応する発券機（Ｒ）に直接出力すると共に、遊技客の目に触れない遊技場外に設置された中継装置（１２）から第２計数信号（Ｋ）を発券機（Ｒ）に出力し、計数機（Ｃ）に対応する発券機（Ｒ）で第１計数信号（Ｊ）と第２計数信号（Ｋ）とを照合し、照合に成功した場合に計数結果を記録した記録媒体を発券するようにしたので、照合の際に基準となる第２計数信号（Ｋ）に対する不正行為が困難になり、信頼性を高めることができる。なお、この場合、計数機（Ｃ）と発券機（Ｒ）は１対１に対応するように設置される。
【００１６】
［３］前記第１条件と前記第２条件の少なくとも一方が不成立の場合に、エラーを報知する
ことを特徴とする［１］または［２］に記載の発券システム。
【００１７】
上記発明では、エラー報知により、第１計数信号（Ｊ）に対して不正行為が行われていることを遊技場の従業員は正確に認識することができる。
【００１８】
［４］前記計数機（Ｃ）は、１個の遊技媒体の計数を示す計数情報を含む第１計数信号（Ｊ）を遊技媒体の計数毎に出力し、所定の複数個の遊技媒体の計数を示す計数情報を含む第２計数信号（Ｋ）を前記所定の複数個の遊技媒体を計数する毎に出力する
ことを特徴とする［１］乃至［３］のいずれか１つに記載の発券システム。
【００１９】
上記発明では、規定数の遊技媒体の計数を示す計数情報を第２計数信号（Ｋ）に含め、規定数の計数毎に第２計数信号（Ｋ）を出力するようにしたので、遊技媒体の１個毎の信号を用いる場合に比べて、中継装置（１２）での第２計数信号（Ｋ）に関する処理負担が軽減される。
【００２０】
［５］前記属性情報は、計数機（Ｃ）の識別情報を含む
ことを特徴とする［１］乃至［４］のいずれか１つに記載の発券システム。
【００２１】
上記発明では、属性情報に基づいて、第１計数信号（Ｊ）および第２計数信号（Ｋ）の出力元の計数機（Ｃ）を認識することができるので、１台の発券機（Ｒ）に対して複数台の計数機（Ｃ）を接続する場合でも、計数機（Ｃ）別に第１計数信号（Ｊ）と第２計数信号（Ｋ）とを照合できる。
【００２２】
［６］前記属性情報は、前記第１計数信号（Ｊ）または前記第２計数信号（Ｋ）の出力時刻情報を含み、
前記計数機は、前記第１計数信号および前記第２計数信号をそれぞれ所定数の遊技媒体の計数毎に出力し、
前記発券機は、前記第２条件において、前記第１計数信号の出力時刻情報と前記第２計数信号の出力時刻情報との一致を検査する
ことを特徴とする［１］に記載の発券システム。
【００２３】
上記発明では、出力時刻情報の一致性により、より一層厳密な照合が可能になって、不正行為の成立を阻止できる。
【発明の効果】
【００２４】
本発明に係る発券システムによれば、計数情報などを伝送する信号線に対する不正行為を困難にして、不正な発券を防止することができる。
【発明を実施するための最良の形態】
【００２５】
以下、図面に基づき本発明の実施の形態を説明する。
【００２６】
図１は、本発明の実施の形態に係る発券システム１０の概略構成を示している。発券システム１０は、パチンコ機やスロットマシンなどの遊技機が配設された遊技施設に設置される。発券システム１０は、遊技客が遊技により獲得したパチンコ球やメダルなどの遊技媒体を景品と交換する際に、遊技媒体の個数の計数と、その計数結果の記録された記録媒体であるレシートの発券を行うシステムである。
【００２７】
発券システム１０は、遊技場内に設置されて、投入された遊技媒体の個数を計数する複数台の計数機Ｃと、同じく遊技場内に設置されて、計数機Ｃの計数結果を記録媒体に記録して発券する複数台の発券機Ｒと、遊技場外に設置された管理装置としてのホールコンピュータ１２とを備えている。
【００２８】
遊技場内は、パチンコ機やスロットマシンなどの遊技機で遊技を行う遊技客の立ち入りが許可された領域であり、遊技場外は、遊技客の立ち入りが禁止された、あるいは立ち入ることのできない領域である。遊技場内には、パチンコ機やスロットマシンなどの遊技機、計数機Ｃ、発券機Ｒなどのほか、景品交換カウンタ、遊技に関する情報提供装置、投入金額に応じて遊技媒体を遊技客に貸し出す遊技媒体貸出機などが設置される。遊技場外は、遊技場の従業員や経営者などの関係者のみが立ち入り可能で遊技客の立ち入りは禁止されている。遊技場外には、ホールコンピュータ１２のほか、たとえば、警備用のモニタテレビなどが設置される。遊技場内と遊技場外は、通常、壁や扉などで仕切られる。
【００２９】
計数機Ｃは、遊技媒体の計数を行う際に、投入された遊技媒体の計数情報と当該計数機の属性情報とを含む第１計数信号Ｊを当該計数機Ｃに対応する発券機Ｒへ出力すると共に、遊技媒体の計数情報と当該計数機Ｃの属性情報とを含む第２計数信号Ｋをホールコンピュータ１２へ出力する。図示省略してあるが、計数機Ｃは、遊技媒体を検知するセンサ部と、遊技媒体の投入口と、該投入口から投入された遊技媒体を整列させた後、センサ部を通過させて排出する整列通路部と、センサ部の検知に基づいて第１計数信号Ｊや第２計数信号Ｋを生成して外部へ出力する計数信号出力部などで構成される。
【００３０】
第１計数信号Ｊの示す計数情報は、１個の遊技媒体を計数したことを示しており、計数機Ｃは遊技媒体を１個計数する毎に第１計数信号Ｊを出力する。第２計数信号Ｋの示す計数情報は、規定数（所定の複数個）の遊技媒体を計数したことを示しており、計数機Ｃは規定数の遊技媒体を計数する毎に第２計数信号Ｋを出力する。たとえば、規定数は１０個に設定される。
【００３１】
第１計数信号Ｊおよび第２計数信号Ｋに含まれる属性情報は、第１計数信号Ｊや第２計数信号Ｋの出力元の計数機Ｃを特定するための役割と、ある遊技媒体の計数に対して出力された第１計数信号Ｊと第２計数信号Ｋとを関連付ける役割の少なくとも一方を果たす情報である。ここでは、属性情報は、第１計数信号Ｊや第２計数信号Ｋの出力元の計数機Ｃの識別情報や第１計数信号Ｊや第２計数信号Ｋの出力時刻を表わした出力時刻情報などで構成される。
【００３２】
識別情報は、たとえば、計数機Ｃに個別に割り当てられた装置番号である。出力時刻情報は、時分もしくは時分秒を表す。日付情報が付加されてもよい。このほか、計数機Ｃにて遊技媒体を規定数計数する毎にカウント値を＋１するようにしておき、第１計数信号Ｊや第２計数信号Ｋの出力時のカウンタ値を、第１計数信号Ｊと第２計数信号Ｋとを関連付けるための属性情報としてこれらの信号に含めるように構成されてもよい。
【００３３】
第１計数信号Ｊや第２計数信号Ｋによる情報の伝送形態は任意でよいが、たとえば、第１計数信号Ｊでは計数情報は１個計数毎に出力するパルス信号により伝送し、第２計数信号Ｋでは規定数計数毎に出力するパルス信号により伝送する。また、属性情報は、パルス信号とパルス信号との間の期間を利用して伝送するように構成される。
【００３４】
ホールコンピュータ１２は、ＣＰＵ（Central Processing Unit）、ＲＯＭ（Read Only Memory）、ＲＡＭ（Random Access Memory）を主要部としてハードディスク装置や通信Ｉ／Ｆ部などを備えたコンピュータ装置に、モニタディスプレイ、プリンタなどを接続して構成される。ホールコンピュータ１２は、遊技場の営業状態などを管理する機能を果たす装置であり、遊技機や遊技媒体貸出機、景品交換カウンタに設置された景品管理コンピュータ、情報提供装置など多様な装置、機器と接続されている。
【００３５】
ホールコンピュータ１２は、遊技場内に設置された各計数機Ｃから第２計数信号Ｋを入力し、この第２計数信号Ｋをその出力元の計数機Ｃに対応する発券機Ｒへ出力する。詳細には、ホールコンピュータ１２は、計数機Ｃから受信した第２計数信号Ｋに含まれている属性情報に基づいて、その第２計数信号Ｋの出力元の計数機Ｃを認識し、該認識した計数機Ｃに対応付けされている発券機Ｒに対してその第２計数信号Ｋを出力する。たとえば、ホールコンピュータ１２に計数機Ｃの装置番号とこの計数機Ｃに対応する発券機Ｒの装置番号とを関連付けた対応表データを予め記憶しておき、ホールコンピュータ１２はこの対応表データと受信した第２計数信号Ｋに含まれている属性情報が示す計数機Ｃの装置番号とから出力先の発券機Ｒを認識する。
【００３６】
発券機Ｒは、ホールコンピュータ１２から入力された第２計数信号Ｋと計数機Ｃから入力された第１計数信号Ｊとの照合を行う照合手段１４、該照合に失敗した場合のエラー情報を報知するエラー表示手段１６などの機能を備えている。
【００３７】
発券機Ｒは、ホールコンピュータ１２から入力された第２計数信号Ｋと計数機Ｃから入力された第１計数信号Ｊとを照合し、第２計数信号Ｋに含まれる計数情報に基づく計数値と第１計数信号Ｊに含まれる計数情報に基づく計数値とが一致する第１条件と、第２計数信号Ｋに含まれる属性情報と第１計数信号Ｊに含まれる属性情報とが一致する第２条件とが共に成立する場合に、第１計数信号Ｊまたは第２計数信号Ｋの計数情報に基づいて求めた計数結果（遊技媒体数）を記録媒体に記録して発券する装置である。ここでは、第１計数信号Ｊの計数情報に基づいて計数結果を求め、この計数結果を記録媒体としての紙に印刷したレシートを出力して発券する。
【００３８】
発券機Ｒは、図示省略してあるがＣＰＵを主要部とする制御部、通信Ｉ／Ｆ部、プリンタ部、表示部などで構成される。
【００３９】
計数機Ｃから出力される第２計数信号Ｋを伝送する信号線は、遊技場内から遊技場外に配線されてホールコンピュータ１２の入力端子に接続された部分Ｌａと、遊技場外に設置されたホールコンピュータ１２の出力端子から遊技場内に再び配線されて所定の発券機Ｒに接続された部分Ｌｂとで構成される。したがって、計数機Ｃから出ている信号線Ｌａや発券機Ｒから出ている信号線Ｌｂを遊技場内で辿っても、第２計数信号Ｋを伝送する信号線Ｌａ、Ｌｂが計数機Ｃと発券機Ｒとの間で接続されていることやその信号線が計算機Ｃと発券機Ｒとの間でどのように対応しているのかなどを割り出すことはできなくなっている。
【００４０】
図２は、発券システム１０による計数発券動作の流れを示している。任意の計数機Ｃｎ（ｎは任意の正整数で、装置番号を示す）に遊技媒体が投入されると、計数機Ｃｎはその投入された遊技媒体の計数を開始する（ステップＳ１０１）。この計数動作に伴って計数機Ｃｎは第１計数信号Ｊを対応する発券機Ｒに出力すると共に、第２計数信号Ｋをホールコンピュータ１２へ出力する（ステップＳ１０２）。詳細には、計数機Ｃｎは遊技媒体を１個計数する毎に第１計数信号Ｊを出力し、遊技媒体を規定数（ここでは、１０個）計数する毎に第２計数信号Ｋを出力する。
【００４１】
ホールコンピュータ１２は計数機Ｃｎから入力された第２計数信号Ｋに含まれている属性情報から当該第２計数信号Ｋの出力元である計数機Ｃｎを認識し、該計数機Ｃｎに対応する発券機Ｒｎに、この第２計数信号Ｋを出力する（ステップＳ１０３）。
【００４２】
発券機Ｒｎにおいて発券ボタンや貯玉ボタンの操作などレシートの発券を指示するいずれかの操作がなされると（ステップＳ１０４）、発券機Ｒｎは、計数機Ｃｎから受けた第１計数信号Ｊに含まれる属性情報とホールコンピュータ１２から受けた第２計数信号Ｋに含まれる属性情報とを比較し、それらが一致する（第２条件の成立）か否かを調べ(ステップＳ１０５)、属性情報が一致しない場合は(ステップＳ１０６；Ｎ)、エラーを報知して(ステップＳ１０９)処理を終了する（エンド）。なお、第１計数信号Ｊと第２計数信号Ｋの少なくとも一方に属性情報が含まれない場合は、属性情報の不一致として扱う。
【００４３】
上記の比較において、属性情報が計数機Ｃの装置番号の場合は、装置番号が完全一致するか否かを調べる。属性情報が第１計数信号Ｊや第２計数信号Ｋの出力時刻情報の場合は、第１計数信号Ｊが遊技媒体１個毎に出力され、第２計数信号Ｋが規定数毎に出力されるので、ある程度の許容範囲内で出力時刻情報が一致すれば良いものとする。たとえば、計数開始から発券指示操作までの間に計数機Ｃｎから受信した第１計数信号Ｊの出力時刻情報が示す時刻の中で最も早い時刻と最も遅い時刻とを両端とする第１の期間と、計数開始から発券指示操作までの間に受信した計数機Ｃｎに対応する第２計数信号Ｋの出力時刻情報が示す時刻の中で最も早い時刻と最も遅い時刻とを両端とする第２の期間とが所定の許容誤差範囲内で一致すれば、出力時刻に関する属性情報は一致していると判定する。
【００４４】
エラーの報知は発券機Ｒｎのエラー表示手段１６で行ってもよいし、ホールコンピュータ１２で行ってもよい。さらに、ＰＯＳ端末や、遊技機を複数並設収容した遊技機島に設置された呼び出しランプや、代表ランプで行ってもよい。また、従業員の所持する無線機や携帯端末、あるいは遊技場内に設置されている各種の端末でエラー報知を行ってもよい。エラーの報知は、視覚的な報知（エラーメッセージやランプの点滅など）でもよいし、音による報知（警告メッセージや警報音を鳴らす）でもよい。
【００４５】
属性情報が一致する場合（ステップＳ１０６；Ｙ）、発券機Ｒｎは、計数機Ｃｎから受けた第１計数信号Ｊに基づく計数値とホールコンピュータ１２から受けた第２計数信号Ｋに基づく計数値とを比較して、それらが一致する（第１条件の成立）か否かを調べ(ステップＳ１０７)、不一致の場合は（ステップＳ１０８；Ｎ）、エラーを報知して(ステップＳ１０９)処理を終了する（エンド）。
【００４６】
第１計数信号Ｊに基づく計数値と第２計数信号Ｋに基づく計数値とが一致したときは（ステップＳ１０８；Ｙ）、第１計数信号Ｊと第２計数信号Ｋとの照合に成功したので、この第１計数信号Ｊに基づいて求めた計数結果（遊技媒体数）の印刷されたレシートを発券して（ステップＳ１１０）処理を終了する（エンド）。
【００４７】
なお、第１計数信号Ｊは１個毎に出力され、第２計数信号Ｋは規定数毎に出力されることから、計数値が完全に一致しない場合があるが、これら計数値の差が規定数以下の場合には計数値は一致していると判断する。
【００４８】
このように、計数機Ｃｎから出力された第１計数信号Ｊをこの計数機Ｃｎに対応する発券機Ｒｎに直接出力するとともに、遊技客の目に触れない遊技場外に設置されたホールコンピュータ１２から第２計数信号Ｋを発券機Ｒｎに出力し、計数機Ｃｎに対応する発券機Ｒｎで第１計数信号Ｊと第２計数信号Ｋとを照合し、照合に成功した場合にレシートを発券するようにしたので、照合の際に基準となる第２計数信号Ｋを伝送する信号線を見つけ出して、第２計数信号Ｋに対して不正を行うことが困難になる。その結果、第１計数信号Ｊの正当性を正確に判断して、不正行為による不正なレシートの発券をより確実に防止することができる。
【００４９】
また、第１計数信号Ｊと第２計数信号Ｋに、それらの出力元の計数機Ｃに関わる属性を示す属性情報を付与し、この属性情報に基づく照合を行うので、第１計数信号Ｊと第２計数信号Ｋが出力された計数機に関する情報が加わって照合の条件がより厳密なものになり、不正行為の成功をより一層困難にすることができると共に、計算機（Ｃ）と発券機（Ｒ）が各々複数の場合でも適用することができる。
【００５０】
さらに、エラー報知を行うので、第１計数信号Ｊに対して不正な細工が行われていることを遊技場の従業員は正確・迅速に認識することができる。
【００５１】
また、規定数の計数を示す計数情報を第２計数信号Ｋに含め、規定数の計数毎に第２計数信号Ｋを出力するようにしたので、遊技媒体の１個毎の信号を用いる場合に比べて、ホールコンピュータ１２での第２計数信号Ｋに関する処理負担が軽減される。
【００５２】
以上、本発明の実施の形態を図面によって説明してきたが、具体的な構成は実施の形態に示したものに限られるものではなく、本発明の要旨を逸脱しない範囲における変更や追加があっても本発明に含まれる。
【００５３】
たとえば、計数機Ｃと発券機Ｒとは１対１に対応付けされてもよいし、１台の発券機Ｒに対して複数台の計数機Ｃが対応するようにされてもよい。後者の場合、発券機Ｒは、第１計数信号Ｊの正当性を検証する際に、属性情報に基づいて第１計数信号Ｊと第２計数信号Ｋの出力元を判断し、出力元が同じ計数機Ｃである第１計数信号Ｊと第２計数信号Ｋとを照合して、出力時刻情報や計数値の一致を確認すればよい。
【００５４】
なお、第１計数信号Ｊや第２計数信号Ｋは属性情報を含まないものであってもかまわない。たとえば、計数機Ｃと発券機Ｒとが１対１に対応付けされている場合は、属性情報を含まなくても、特定の計数機Ｃｎから出力された第２計数信号Ｋを該計数機Ｃｎに対応する発券機Ｒｎにホールコンピュータ１２経由で入力できる。また、第１計数信号Ｊと第２計数信号Ｋに属性情報を含める場合であっても、計数機Ｃと発券機Ｒとが１対１に対応している構成では、出力元を特定するための情報（装置番号など）を属性情報に含めなくてもかまわない。
【図面の簡単な説明】
【００５５】
【図１】本発明の実施の形態に係る発券システム１０の概略構成を示すブロック図である。
【図２】本発明の実施の形態に係る発券システム１０における計数発券動作を示す流れ図である。
【符号の説明】
【００５６】
１０…発券システム
１２…ホールコンピュータ
１４…照合手段
１６…エラー表示手段
Ｃ…計数機
Ｊ…第１計数信号
Ｋ…第２計数信号
Ｒ…発券機
Ｌａ、Ｌｂ…第２計数信号を伝送する信号線
【図１】
0005550804.tif 000002
【図２】
0005550804.tif 000003